(57)【要約】【課題】ワイヤハーネスの幹線から３本以上の支線が分岐する分岐部分に外装するプロテクタの小型化をはかる。【解決手段】分岐位置の幹線部分に被せる１つの幹線用筒部と、前記幹線用筒部の内端から扇状の拡がる分岐用筒部と、該分岐用筒部の先端側で分岐する３本以上の支線用円筒部とを連続的に設けていると共に、これを半割りして本体とカバーとに分割して、分割端の一方を薄肉ヒンジで連結する一方、分割端の他方にはロック部と被ロック部を設けてロック結合し、かつ、前記本体の中間位置の支線用円筒部と両側位置の支線用円筒部との境界部分に、溝を凹設すると共に爪を周方向に突設している一方、対向する前記カバーの中間位置の支線用筒部と両側位置の支線用筒部との境界部分に、該カバーを本体に被せた状態で前記溝に挿入するリブと、前記爪が係合する爪係止溝を設けている。【選択図】図２
2007306732.tif 000002
【特許請求の範囲】
【請求項１】
ワイヤハーネスの幹線先端から３本以上の支線が分岐する部分に外装するプロテクタであって、
分岐位置の幹線部分に被せる１つの幹線用筒部と、前記幹線用筒部の内端から扇状の拡がる分岐用筒部と、該分岐用筒部の先端側で分岐する３本以上の支線用円筒部とを連続的に設けていると共に、これを半割りして本体とカバーとに分割して、分割端の一方を薄肉ヒンジで連結する一方、分割端の他方にはロック部と被ロック部を設けてロック結合し、
かつ、前記本体の中間位置の支線用円筒部と両側位置の支線用円筒部との境界部分に、溝を凹設すると共に爪を周方向に突設している一方、対向する前記カバーの中間位置の支線用円筒部と両側位置の支線用円筒部との境界部分に、該カバーを本体に被せた状態で前記溝に挿入するリブと、前記爪が係合する爪係止溝を設けていることを特徴とするワイヤハーネス分岐部のプロテクタ。
【請求項２】
前記中間位置の支線用円筒部が２本以上の場合には、前記本体の中間位置の支線用円筒部同士の間にも前記溝と爪を設けている一方、前記カバーにも前記リブと爪係止溝を設けている請求項１に記載のワイヤハーネス分岐部のプロテクタ。
【請求項３】
前記ワイヤハーネスの幹線および支線にはそれぞれコルゲートチューブを外装させており、
前記幹線用筒部および支線用円筒部の先端側の内周面に、前記コルゲートチューブの谷部に嵌合する谷部嵌合リブを環状に配置している請求項１または請求項２に記載のワイヤハーネス分岐部のプロテクタ。
【請求項４】
前記本体に設ける谷部嵌合リブの前記境界部分に位置する先端から前記爪を突設すると共に、前記カバーに設ける谷部嵌合用リブに前記爪係止溝を設けている請求項３に記載のワイヤハーネス分岐部のプロテクタ。
【発明の詳細な説明】
【技術分野】
【０００１】
本発明は、ワイヤハーネス分岐部のプロテクタに関し、詳しくは、ワイヤハーネスの幹線から３本以上の支線が分岐する部分に外装するプロテクタであって、特に、幹線および各支線にそれぞれコルゲートチューブを外装している場合に、これらコルゲートチューブによりカバー出来ずに露出している分岐位置の電線群をカバーするプロテクタに関するものである。
【背景技術】
【０００２】
自動車に配索されるワイヤハーネスは、所要位置で幹線から支線が分岐され、車両に設置されている各電気機器に接続されている。
自動車に配索するワイヤハーネスは、ワイヤハーネスを構成する電線群を集束すると共に他の車載部品等から保護するために、チューブ内に通したり、テープ巻きしている。
従来、ワイヤハーネスは電線群をテープ巻きして集束している場合が多いが、テープ巻きは熟練を有すると共に作業手数がかかることより、近時、合成樹脂製で所要の強度を有すると共に、谷部と山部とが軸線方向に交互に設けられて屈曲性に富んだコルゲートチューブが外装されることが多い。
【０００３】
このようにコルゲートチューブを用いると、幹線から支線が分岐する分岐位置では、分岐位置の両側の幹線を夫々通す両側のコルゲートチューブ端と支線を通すコルゲートチューブ端に挟まれた分岐部では電線群が露出することとなる。よって、この分岐部に露出する電線群を外装するためにプロテクタを取り付けることが必要となる。
【０００４】
この種のプロテクタとしては、一般的に、本体部とカバー部とからなり、本体部にワイヤハーネスを挿通させてカバー部を被せて、本体部とカバー部とをロック結合している。
ワイヤハーネスの幹線から３本以上の支線が分岐する部分に外装するプロテクタの場合、本体部とカバー部とのロック部が３本以上の各支線用筒部外面にそれぞれ突設され、各支線用筒部間にロック部の幅分の無駄なスペースができてしまい、プロテクタ全体が大型化してしまう問題がある。
【０００５】
前記ロック部を外部に突出させない構造としたものとして、例えば、特開２０００−２２４７２７号公報で、ワイヤハーネス外装用のスリット付きコルゲートチューブにおいて、図７に示す係合構造が提案されている。
前記コルゲートチューブ１では、スリット部２を挟む縁部３、４のうち、一方の縁部３に平面略平行四辺形の突起部５が多数形成され、軸線に対して螺旋方向に沿って突出させている。他方の縁部４には突起部５に対応する凹部６が形成され、該凹部６と前記突起部５とが位相して配置されている。軸線が湾曲するようにコルゲートチューブ１を捩じることにより、縁部３、４を相対移動させ、突起部５を凹部６に係合させている。
【０００６】
しかしながら、前記した係合構造とした場合、コルゲートチューブ１の軸線に対して突起部５と凹部６とが傾斜しているため、コルゲートチューブ１を製造するための金型が複雑になり製造コストがかかる等の問題がある。
また、コルゲートチューブ１を軸線方向でねじることにより係合させているため、ねじることが出来ない構成の場合、即ち、前記幹線から複数の支線が分岐している分岐部に外装し、幹線用筒部と複数の支線用筒部とが一体的に突設しているプロテクタでは、前記係合構造を採用することはできない。
【０００７】
【特許文献１】特開２０００−２２４７２７号公報号公報
【発明の開示】
【発明が解決しようとする課題】
【０００８】
本発明は、前記問題に鑑みてなされたものであり、ワイヤハーネスの幹線先端から３本以上の支線が分岐する分岐位置に外装する本体部とカバー部とからなるプロテクタにおいて、カバー部と本体部との連結部を支線用筒部の境界部分に設けることで、プロテクタを小型化すると共に、製造コストを削減することを課題としている。
【課題を解決するための手段】
【０００９】
前記課題を解決するために、本発明は、ワイヤハーネスの幹線先端から３本以上の支線が分岐する部分に外装するプロテクタであって、
分岐位置の幹線部分に被せる１つの幹線用筒部と、前記幹線用筒部の内端から扇状の拡がる分岐用筒部と、該分岐用筒部の先端側で分岐する３本以上の支線用円筒部とを連続的に設けていると共に、これを半割りして本体とカバーとに分割して、分割端の一方を薄肉ヒンジで連結する一方、分割端の他方にはロック部と被ロック部を設けてロック結合し、
かつ、前記本体の中間位置の支線用円筒部と両側位置の支線用円筒部との境界部分に、溝を凹設すると共に爪を周方向に突設している一方、対向する前記カバーの中間位置の支線用円筒部と両側位置の支線用円筒部との境界部分に、該カバーを本体に被せた状態で前記溝に挿入するリブと、前記爪が係合する爪係止溝を設けていることを特徴とするワイヤハーネス分岐部のプロテクタを提供している。
【００１０】
前記構成とすると、３本以上に分岐される支線に被せる複数の支線用円筒部では、本体とカバーとの間に外方に突出するロック部を設ける代わりに、本体にカバーを被せた状態で境界位置の溝にリブが挿入すると共に爪を爪係止溝に係合し、リブおよび爪は円筒部内から突出させないため、支線用円筒部の間隔を広げる必要はない。よって、プロテクタを小型化することができると共に、プロテクの小型化に伴って空いたスペースを有効利用することができる。さらに、プロテクタが小型化できることで、材料費を削減することができるので、低コスト化を実現することができる。さらに、外方へ突出するロック部を設ける場合と比較して、プロテクタ成形用の金型形状を簡単にでき、金型製作費を低減できる。
【００１１】
また、ロックの代わりに、前記形状としても、リブを溝に係止することで本体とカバーとが軸線方向にずれることを防止して、位置決め保持できると共に、爪を爪係止溝に係止していることで、分割した円筒部同士を確実に連結保持し、内部に通すワイヤハーネスで浮き上がりが生じることも防止できる。
【００１２】
前記中間位置の支線用円筒部が２本以上の場合には、前記本体の中間位置の支線用円筒部同士の間にも前記溝と爪を設けている一方、前記カバーにも前記リブと爪係合部を設けている。
前記構成とすると、幹線から支線が３本を越える多数本に分岐していても、支線に外装する中間支線用円筒部同士を近接することができるため、プロテクタが大型化することを防止できる。
【００１３】
前記ワイヤハーネスの幹線および支線にはそれぞれコルゲートチューブを外装させている場合には、前記幹線用筒部および支線用円筒部の先端側の内周面に、前記コルゲートチューブの谷部に嵌合する谷部嵌合リブを環状に配置している。
前記構成とすると、幹線および支線を通しているコルゲートチューブをプロテクタ内に位置決め固定することができる。
【００１４】
また、本体およびカバーに前記谷部嵌合リブを設けた場合、本体に設ける谷部嵌合リブの前記境界部分に位置する先端から前記爪を突設すると共に、カバーに設ける谷部嵌合リブに前記爪係止溝を設けることが好ましい。
【００１５】
なお、ワイヤハーネスの幹線及び支線の電線群をコルゲートチューブに通して集束および保護する代わりに、丸チューブで外装して分岐部に電線群が露出している場合、さらに、幹線および支線をテープ巻きで外装して分岐部に電線群が露出している場合にも、本発明のプロテクタは適用可能である。
【発明の効果】
【００１６】
前述したように、本発明によれば、ワイヤハーネスの幹線から分岐する支線に外装する支線用円筒部の本体とカバーとの連結を、外方に突出するロック部を設ける代わりに、本体にカバーを被せた状態で境界位置に設けた溝にリブが挿入していることで、本体とカバーとを位置ずれしないように連結でき、かつ、境界部分に設ける爪を爪係止溝に係止していることで、本体とカバーが挿通する支線により浮き上がることを防止して連結でき、特に、リブおよび爪を支線用円筒部から突出させないため、支線用円筒部の間隔を広げる必要はない。よって、プロテクタを小型化することができる。また、プロテクタ成形用の金型形状を簡単にでき、金型製作費を低減できる
【発明を実施するための最良の形態】
【００１７】
本発明の実施形態を図面を参照して説明する。
図１乃至図４は本発明の第１実施形態を示す。
本発明のプロテクタ１０は、図１に示すように、１本の幹線２１の先端から３本の支線２２が分岐しているワイヤハーネス２０の分岐部分に外装するものである。
【００１８】
プロテクタ１０は樹脂成形品からなり、分岐位置の幹線２１部分に被せる１つの幹線用筒部１１と、前記幹線用筒部１１の内端から分岐する支線２２側へと扇状の拡がる分岐用筒部１２と、該分岐用筒部１２の先端側で分岐する両側の一対の両側端支線用円筒部１３、１４および両側端支線用円筒部１３、１４に挟まれた中間支線用円筒部１５とを連続して設けている。
前記ワイヤハーネス２０の幹線２１および３本の支線２２には夫々コルゲートチューブ３０を外装しており、分岐部分ではコルゲートチューブで外装できないため電線群が露出しており、プロテクタ１０により露出した電線群をカバーしている。
【００１９】
プロテクタ１０は、図３に示すように、本体１６とカバー１７とに半割り状に分割している。即ち、前記幹線用筒部１１、分岐用筒部１２、両側端支線用円筒部１３、１４および中間支線用円筒部１５は、分割端面１６ａ、１７ａで幹線用半筒部１１Ａ、１１Ｂ、分岐用半筒部１２Ａ、１２Ｂ、両側端支線用半筒部１３Ａ、１３Ｂ、１４Ａ、１４Ｂおよび中間支線用半筒部１５Ａ、１５Ｂにそれぞれ分割している。
前記本体１６およびカバー１７では、両側支線用半筒部１３Ａ、１３Ｂ、１４Ａ、１４Ｂと中間支線用半筒部１５Ａ、１５Ｂとを境界部１６ｂ、１７ｂを介して連続している。
【００２０】
前記本体１６とカバー１７は、本体１６側の一側端支線用半筒部１３Ａの外側分割端１３ａとカバー側の一側端支線用半筒部１３Ｂの外側分割端１３ｂとを薄肉ヒンジ部１８を介して連結している。
前記本体１６側の他側端支線用半筒部１４Ａの外側分割端１４ａには被ロック部１４ｃを設けていると共に、前記カバー１７側の他側端支線用半筒部１４Ｂの外側分割端１４ｂにはロック部１４ｄを設けている。
【００２１】
前記両側端支線用円筒部１３、１４および中間支線用円筒部１５の先端側内周面には、コルゲートチューブ３０の谷部に嵌合してコルゲートチューブ３０を嵌合挟持する谷部嵌合リブ１９を円環状に突設している。該谷部嵌合リブ１９には、図２に示すように、ワイヤハーネス２０の支線２２に外装されるコルゲートチューブ３０の谷部３０ａを係止して支線２２を位置決め保持するようにしている。
【００２２】
図４（Ａ）（Ｂ）に示すように、前記谷部嵌合リブ１９は分割端面１９ａ、１９ｂで本体１６とカバー１７とに分割され、半円環嵌合リブ１９Ａ、１９Ｂとなる。一側端支線用半筒部１３Ａと中間支線用半筒部１５Ａとの境界部分１６ｂに位置する分割端面１９ａの内側部からは、一対の爪１９ｃを周方向に上向きに突設し、先端に係止爪１９ｄを設けている。
前記爪１９ｃの間の分割端面１６ａから本体１６の内周面に沿って、矩形状の溝１６ｃを設けている。他側端支線用半筒部１４Ａと中間支線用半筒部１５Ａとの境界部分１６ｂにも、前記爪１９ｃと前記溝１６ｃとを設けている。
【００２３】
図４（Ａ）（Ｃ）に示すように、カバー１７側には、一端支線用半筒部１３Ｂと中間支線用半筒部１５Ｂとの境界部分１７ｂに位置する半円環状嵌合リブ１９Ｂの端部に、本体１６にカバー１７を被せた状態で爪１９ｃと対向する位置に矩形状に切り欠いた爪係止溝１９ｅを設けている。
【００２４】
前記境界部分１７ｂに位置する２つの半円環状嵌合リブ１９Ｂ間の分割端面１７ａからは、直方体形状のリブ１７ｃを突設１し、該リブ１７ｃは本体１６側に設ける前記溝１６ｃに沿う挿入する形状としている。溝１６ｃにリブ１７ｃを挿入することで本体１６とカバー１７の軸方向の動きを拘束している。他側端支線用半筒部１４Ｂと中間支線用半筒部１５Ｂとの境界部分１７ｂにも、前記リブ１７ｃと爪係止溝１９ｅとを設けている。
【００２５】
前記幹線用筒部１１の内周面にも、谷部嵌合リブ１１ａを円環状に配置し、図２に示すように、ワイヤハーネス２０の幹線２１に外装されるコルゲートチューブ３０の谷部３０ａと係合してワイヤハーネス２０の幹線２１を位置決め保持するようにしている。
本体１６側の幹線用半筒１１Ａの両側の外側分割端１１ｂ、１１ｂに被ロック部１１ｃ、１１ｃを設けていると共に、カバー１７側の幹線用半筒部１１Ｂの両側の外側分割端１１ｄ、１１ｄにロック部１１ｅ、１１ｅを設けている。
【００２６】
前記形状としたプロテクタ１０に対して、コルゲートチューブ３０に通したワイヤハーネス２０の幹線２１および支線２２を取り付ける作業は、まず、プロテクタ１０の本体１６側にコルゲートチューブ３０を嵌合する。その際コルゲートチューブ３０の谷部３０ａを本体１６の谷部嵌合リブ１９に係止して位置決め保持する。
その後、カバー１７を薄肉ヒンジ部１８を支点として、本体１６に被せる。
該作業で、図５（Ａ）（Ｂ）に示すように、カバー１７側に設けているリブ１７ｃが本体１６側に設けている溝１６ｃに挿入し、爪１９ｃが爪係止溝１９ｅに係止する。
また、他側端支線用円筒部１４の外側分割端１４ａ、１４ｂに設けている被ロック部１４ｃとロック部１４ｄ、および幹線用筒部１１に設けている被ロック部１１ｃとロック部１１ｅとがロック結合し、本体１６とカバー１７とが一体となる。
【００２７】
前記構成とすると、中間支線用円筒部１５と両側端支線用円筒部１３、１４の境界部分１６ｂ、１７ｂに突設するリブ１７ｃおよび爪１９ｃは周方向に突設させて、リブ１７ｃは溝１６ｃを挿入し、爪１９ｃは爪係止溝１９ｅと係止しているため、係止機構が外部に突出しない。よって、中間支線用円筒部１５と両側端支線用円筒部１３、１４との間を近接させてることができる。その結果、外部に突出するロック部を設けた場合に必要とする支線用円筒部の間に大きなスペースをとる必要な無く、プロテクタ１０全体を小型化することができる。
【００２８】
図６は、第２実施形態のプロテクタ１０’を示し、両側端支線用円筒部１３、１４に挟まれた中間支線用円筒部１５を２本とする構成を第１実施形態と相違させている。
本実施形態のプロテクタ１０’は、本体１６側の２本の中間支線用半筒部１５Ａ、１５Ａ間の境界部分１６ｄに溝１６ｃおよび爪１９ｃを設けている一方、カバー１７側の２本の中間支線用半筒部１５Ｂ、１５Ｂ間の境界部分１７ｄにも前記リブ１７ｃおよび爪係止溝１９ｅを設けている。
【００２９】
前記構成とすると、中間支線用円筒部１５と両側端支線用円筒部１３、１４との間の無駄なスペースを削減できると共に、中間支線用円筒部１５、１５間の無駄なスペースも削減することができるため、中間支線用円筒部１５が２本の場合であっても、プロテクタ１０の大型化を防止することができる。
なお、他の構成および作用効果は第１実施形態と同様のため、同一の符号を付して説明を省略する。
【００３０】
前記第１および第２実施形態において、ワイヤハーネス２０にコルゲートチューブ３０を外装していない場合にも、本発明のプロテクタ１０は適用される。その場合、プロテクタ１０の両側部のワイヤハーネス２０とプロテクタ１０から突出させたテープ巻部とをテープ巻きして、ワイヤハーネス２０とプロテクタ１０とを固定する。
【図面の簡単な説明】
【００３１】
【図１】本発明の第１実施形態に係るプロテクタにコルゲートチューブを外嵌しているワイヤハーネスを挿通させた状態の斜視図である。
【図２】図１のプロテクタのカバー部を開いた状態を示す平面図である。
【図３】第１実施形態に係るプロテクタを開いた状態を示す斜視図である。
【図４】（Ａ）は第１実施形態に係るプロテクタの要部を拡大した斜視図、（Ｂ）は（Ａ）のＡ−Ａ線断面図の要部を拡大した図、（Ｃ）はＢ−Ｂ線断面図の要部を拡大した図である。
【図５】（Ａ）は第１実施形態に係るプロテクタの本体部とカバー部とが嵌合した状態を示す斜視図であり、（Ｂ）は（Ａ）の要部を拡大した正面図である。
【図６】第２実施形態を示す図である。
【図７】従来例を示す図である。
【符号の説明】
【００３２】
１０  プロテクタ
１１  幹線用筒部
１２  分岐用筒部
１３  一側端支線用円筒部
１３ａ  本体側外側分割端
１３ｂ  カバー側外側分割端
１４  他側端支線用円筒部
１４ａ  本体側外側分割端
１４ｂ  カバー側外側分割端
１４ｃ  被ロック部
１４ｄ  ロック部
１５  中間支線用円筒部
１６  本体
１６ｃ  溝
１７  カバー
１７ｃ  リブ
１８  薄肉ヒンジ部
１９  谷部嵌合リブ
１９ｃ  爪
１９ｅ  爪係止溝
２０  ワイヤハーネス
２１  幹線
２２  支線
３０  コルゲートチューブ
３０ａ  谷部
【図１】
2007306732.tif 000003
【図２】
2007306732.tif 000004
【図３】
2007306732.tif 000005
【図４】
2007306732.tif 000006
【図５】
2007306732.tif 000007
【図６】
2007306732.tif 000008
【図７】
2007306732.tif 000009